(57)【要約】【課題】人の操作を必要とすることなく照明の制御を容易に行うことのできる照明制御システムを提供することを目的とする。【解決手段】照明制御システムは、起動信号を繰り返し送信し、前記起動信号に対し、タグを識別するタグ識別子を含む応答信号をタグから受信し、受信した前記応答信号に含まれるタグ識別子が予め記憶しているタグ識別子と同一である場合に有線接続された照明機器に対して点灯に係る制御信号を出力するタグリーダと、前記起動信号を受信すると、前記応答信号を送信するタグとから構成される。【選択図】図１
2011175757.tif 000002
【特許請求の範囲】
【請求項１】
タグを識別するタグ識別子を記憶するタグ識別子記憶手段、タグと通信を行うための起動信号を繰り返し送信する第１送信手段、前記起動信号に対する応答としてタグ識別子を含む応答信号をタグから受信する第１受信手段、及び前記応答信号に含まれるタグ識別子が前記タグ識別子記憶手段に記憶しているタグ識別子と同一である場合に有線接続された照明機器に点灯に係る制御信号を出力する出力手段を備えるタグリーダと、
前記起動信号を受信する第２受信手段、及び前記起動信号が受信されると前記応答信号を送信する第２送信手段とを備えるタグから構成される
ことを特徴とする照明制御システム。
【請求項２】
前記第２送信手段は、さらに、ユーザから登録指示がなされると当該タグのタグ識別子を含む指示情報を前記タグリーダへ送信し、
前記第１受信手段は、さらに、前記指示情報を受け付け、
前記タグリーダは、さらに、
前記指示情報が受信されると、当該指示情報に含まれるタグ識別子を前記タグ識別子記憶手段へ登録する登録手段を備え、
前記出力手段は、受信した応答信号が前記タグ識別子記憶手段に記憶しているタグ識別子で識別されるタグからのものである場合に、前記制御信号を出力する
ことを特徴とする請求項１に記載の照明制御システム。
【請求項３】
前記タグは、さらに、
前記起動信号が受信されると、前記タグリーダへの登録が可能である旨をユーザに一定期間の間、通知する通知手段を備え、
前記第２送信手段は、前記一定期間の間に前記登録指示を受け付けた場合に、指示情報を前記タグリーダへ送信する
ことを特徴とする請求項２に記載の照明制御システム。
【請求項４】
起動信号には、タグリーダを識別するためのリーダ識別子が含まれており、
前記タグは、さらに、
タグリーダのリーダ識別子を記憶するためのリーダ識別子記憶手段と、
前記通知手段による前記通知がなされている間にユーザから登録指示がなされると、前記リーダ識別子を前記リーダ識別子記憶手段へ書き込む書込手段とを備え、
前記通知手段は、受信された起動信号に含まれるリーダ識別子が前記リーダ識別子記憶手段に記憶されていない場合に前記通知を行う
ことを特徴とする請求項３に記載の照明制御システム。
【請求項５】
前記第２送信手段は、
前記リーダ識別子が前記リーダ識別子記憶手段に記憶されている場合に前記応答信号を送信する
ことを特徴とする請求項４に記載の照明制御システム。
【請求項６】
前記照明制御システムは、さらに、
１つ以上の別のタグリーダを含み、
前記第２受信手段は、
所定期間において前記タグリーダ及び前記１つ以上の別のタグリーダそれぞれから起動信号を受信し、
前記書込手段は、
前記登録指示がなされると、受信した複数の起動信号それぞれに含まれるリーダ識別子のうち受信信号強度が最も高いリーダ識別子を特定し、特定したリーダ識別子を前記リーダ識別子記憶手段に書き込み、
前記第２送信手段は、前記特定されたリーダ識別子に対応するタグリーダを前記指示情報の送信対象とする
ことを特徴とする請求項３に記載の照明制御システム。
【請求項７】
前記書込手段は、
前記登録指示がなされると、受信した前記リーダ識別子の受信信号強度が所定値以上であるか否かを判断し、当該判断が肯定的である場合に前記リーダ識別子を前記リーダ識別子記憶手段に書き込み、
前記第２送信手段は、前記判断が肯定的である場合に前記指示情報を前記タグリーダへ送信する
ことを特徴とする請求項３に記載の照明制御システム。
【発明の詳細な説明】
【技術分野】
【０００１】
本発明は、照明機器の制御を行うシステムに関するものである。
【背景技術】
【０００２】
従来、ビルのフロアの一区画（エリア）が利用される場合、その利用者は、例えば壁面に備えられた照明スイッチを操作して、利用するエリア内の照明機器を点灯させている。このような操作では、複数のスイッチを操作することで、利用するエリアの複数の照明機器の点灯を制御する場合がある。
そこで、特許文献１では、予めグルーピングされた照明機器（例えば、エリア毎にグルーピングされた照明機器）に対して、タッチパネル上の１回の点灯操作により、複数のスイッチを操作することなく点灯・消灯を制御する技術が開示されている。
【先行技術文献】
【特許文献】
【０００３】
【特許文献１】特開平１０−２４３４７８号公報
【発明の概要】
【発明が解決しようとする課題】
【０００４】
しかしながら、照明スイッチの操作にしろ、特許文献１に開示されているタッチパネル上の操作にしろ、人の操作が必要であるので、利用者はその操作が煩わしいと感じるときがある。例えば、あるエリアを利用したい人物が、両手に荷物を抱えている場合である。
そこで、本発明は、上述の問題に鑑みてなされたものであって、人の操作を必要とすることなく照明の制御を容易に行うことのできる照明制御システムを提供することを目的とする。
【課題を解決するための手段】
【０００５】
上記目的を達成するために、本発明は、照明制御システムであって、タグを識別するタグ識別子を記憶するタグ識別子記憶手段、タグと通信を行うための起動信号を繰り返し送信する第１送信手段、前記起動信号に対する応答としてタグ識別子を含む応答信号をタグから受信する第１受信手段、及び前記応答信号に含まれるタグ識別子が前記タグ識別子記憶手段に記憶しているタグ識別子と同一である場合に有線接続された照明機器に点灯に係る制御信号を出力する出力手段を備えるタグリーダと、
前記起動信号を受信する第２受信手段、及び前記起動信号が受信されると前記応答信号を送信する第２送信手段とを備えるタグから構成されることを特徴とする。
【発明の効果】
【０００６】
この構成によると、照明制御システムは、タグリーダにおいて自身が送信した起動信号に対応する応答信号を送信したタグが照明を制御すべきものである場合に、当該タグリーダと有線接続された照明機器の点灯に係る制御を行う。これにより、照明制御システムは、照明機器の制御を人の操作を介することなく行うことができる。
【図面の簡単な説明】
【０００７】
【図１】照明制御システム１の概要を示す図である。
【図２】タグリーダ１０ａの構成を示すブロック図である。
【図３】認証情報テーブル１７１のデータ構造の一例を示す図である。
【図４】タグ２０ａの構成を示すブロック図である。
【図５】リーダ情報テーブル２３２のデータ構造の一例を示す図である。
【図６】照明制御処理の概要を示す流れ図である。
【図７】登録処理の概要を示す流れ図である。
【図８】タグ２０ａにおける処理を示す流れ図である。
【図９】タグリーダ１０ａにおける処理を示す流れ図である。
【図１０】タグ１０２０の構成を示すブロック図である。
【図１１】タグ１０２０における処理を示す流れ図である。
【発明を実施するための形態】
【０００８】
以下、本発明の一実施形態である照明制御システム１について、図面を参照しながら説明する。
１．第１の実施の形態
１．１  概要
実施の形態に係る照明制御システム１は、図１に示すように、タグリーダ（以下、「ＴＲ」ともいう。）１０ａ〜１０ｄと、タグ２０ａ〜２０ｆと、照明機器３０ａ〜３０ｄとから構成されている。
【０００９】
照明制御システム１は、フロア２内のエリアＡ〜Ｄにおいて、エリアに存在するタグとタグリーダとの通信により、当該エリアに存在する照明機器の点灯に係る制御を行う。ここで、点灯に係る制御とは、例えば、照明機器の電源をオンにする制御である。
ＴＲ１０ａ〜１０ｄそれぞれは、エリア内に存在するタグと通信を行うために、一定の周期（Ｔ０）毎に、ＬＦ（ＬｏｗＦｒｅｑｕｅｎｃｙ）帯（１３５ｋＨｚ帯）の一周波数を用いて起動信号を発報している。この起動信号には、当該起動信号を発報したリーダ識別子が含まれている。ここで、リーダ識別子とはＴＲを識別するためのものであり、例えば、ＭＡＣアドレス（Ｍｅｄｉａ  Ａｃｃｅｓｓ  Ｃｏｎｔｒｏｌ  ａｄｄｒｅｓｓ）である。また、ＴＲ１０ａ〜１０ｄそれぞれは、照明機器３０ａ〜３０ｄと有線接続されている。ＴＲ１０ａ〜１０ｄそれぞれは、当該ＴＲが発報した起動信号を受信したタグから、起動信号に対する応答を示す応答信号を受信する。ここで、応答信号には、受信した起動信号に含まれるリーダ識別子と、当該応答信号を送信したタグを識別するためのタグ識別子とが含まれている。ＴＲ１０ａ〜１０ｄそれぞれは、受信した応答信号に含まれるリーダ識別子を基に当該応答信号が自身宛のものであるか否かを判断する。自身宛であると判断する場合において、各ＴＲ１０ａ〜１０ｄは、タグ識別子が当該ＴＲに登録されているときに、接続された照明機器３０ａ〜３０ｄの点灯に係る制御を行う。
【００１０】
タグ２０ａ〜２０ｆは、あるエリアにて当該エリアに存在するＴＲから起動信号を受信すると、受信した起動信号に含まれるリーダ識別子が示すＴＲに対して応答信号を送信するか、ＴＲへタグ識別子の登録が可能である旨をユーザ（タグの所有者）に通知する。タグ識別子の登録が可能である場合において、タグはユーザから指示をつけつけると、タグ識別子及び送信先となるＴＲのリーダ識別子を含む登録信号を、受信した起動信号を送信したＴＲへ送信する。ここで、タグ２０ａ〜２０ｆそれぞれは、応答信号及び登録信号を送信する場合には、ＵＨＦ（ＵｌｔｒａＨｉｇｈ Ｆｒｅｑｕｅｎｃｙ）帯（４００ＭＨｚ帯）の一周波数を用いる。
【００１１】
また、ＴＲ１０ａ〜１０ｄは、登録信号を受信すると、登録信号に含まれるタグ識別子の登録を行う。
以下、各装置の詳細について説明する。
１．２  タグリーダ（ＴＲ）１０ａ〜１０ｄ
タグリーダ１０ａ〜１０ｄの構成要素は同じであるので、ここでは、タグリーダ１０ａの構成要素について説明する。
【００１２】
タグリーダ１０ａは、図２に示すように、Ｉ／Ｆ（ＩｎｔｅｒＦａｃｅ）部１１０と、ＬＦ帯送受信部１４０と、小電力受信部（ＵＨＦ帯受信部）１５０と、記憶部１７０と、制御部１８０とから構成される。
（１）Ｉ／Ｆ部１１０
Ｉ／Ｆ部１１０は、照明機器３０ａと予め定められた通信規格（例えばＲＳ−４８５規格）に従って通信を実行する機能を有する。具体的には、Ｉ／Ｆ部１１０は、照明機器３０ａから送信されてくる信号を制御部１８０に伝達する機能と、制御部１８０から伝達されてきた照明の点灯に係る制御信号を照明機器３０ａに送信する機能とを有する。
【００１３】
（２）ＬＦ帯送受信部１４０
ＬＦ帯送受信部１４０は、タグ２０ａ〜２０ｆと通信を実行するものであり、制御部１８０から伝達された起動信号、及び登録が完了した旨を示す完了信号を変調して、ＬＦ帯でＬＦアンテナ１４１を介して送信する機能を有している。また、ＬＦ帯送受信部１４０は、ＬＦ帯で送信されてきた信号を受信して制御部１８０に伝達する機能とも有している。
【００１４】
（３）小電力受信部１５０
小電力受信部１５０は、タグ２０ａ〜２０ｆからの信号をＵＨＦ帯でＵＨＦアンテナ１５１を介して受信し、受信した信号を復調して制御部１８０に伝達する機能を有する。
具体的には、タグ２０ａ〜２０ｆから送信された応答信号及び登録信号を受信し、受信した応答信号及び登録信号を復調して制御部１８０へ伝達する。
【００１５】
（４）記憶部１７０
記憶部１７０は、ＨＤＤ（Ｈａｒｄ Ｄｉｓｃ Ｄｒｉｖｅ）、メモリ等を含んで構成され、タグリーダ１０ａが動作上必要とする各種データ、プログラムを記憶する機能を有する。また、記憶部１７０は、認証の際に参照する認証情報テーブル１７１を記憶している。
【００１６】
ここで、認証情報テーブル１７１は、図３に示すように、タグ識別子を複数個記憶するための領域を有している。
（５）制御部１８０
制御部１８０は、記憶部１７０に記憶されているプログラムを実行することによりタグリーダ１０ａの各部を制御する機能を有する。
【００１７】
制御部１８０は、所定の周期Ｔ０毎に１回、起動信号が発報されるようＬＦ帯送受信部１４０の動作を制御する。
制御部１８０は、小電力受信部１５０で自身宛の応答信号が受信されると、受信した応答信号に含まれるタグ識別子と、記憶部１７０で記憶している認証情報テーブル１７１とを用いて、受信しタグ識別子の認証を行う。具体的には、制御部１８０は、受信したタグ識別子が認証情報テーブル１７１に含まれているか否かを判断する。受信したタグ識別子が認証情報テーブル１７１に含まれていると判断する場合には、制御部１８０は、制御信号を照明機器３０ａへ、Ｉ／Ｆ部１１０を介して送信する。
【００１８】
制御部１８０は、小電力受信部１５０で自身宛の登録信号が受信されると、受信した登録信号が自身宛の場合に、受信した登録信号に含まれるタグ識別子を、認証情報テーブル１７１へ書き込む（登録する）。登録が完了すると、制御部１８０は、完了信号が送信されるようＬＦ帯送受信部１４０の動作を制御する。
ここで、自身宛の応答信号及び登録信号であるかの判断は、応答信号及び登録信号それぞれに含まれるリーダ識別子が、自身が保持するリーダ識別子と同一である否かに基づいて行うことができる。
【００１９】
１．３  タグ２０ａ〜２０ｆ
タグ２０ａ〜２０ｆの構成要素は同じであるので、タグ２０ａについてのみ説明する。
タグ２０ａは、図４に示すように、ＬＦ帯送受信部２１０、小電力送信部（ＵＨＦ帯送信部）２２０、メモリ２３０、ボタン２４０、通知部２５０、電池２６０及び制御部２７０から構成されている。
【００２０】
（１）ＬＦ帯送受信部２１０
ＬＦ帯送受信部２１０は、ＬＦアンテナ２１１を介して、タグリーダ１０ａ及び１０ｂからの起動信号を受信して、受信した起動信号を復調して制御部２７０に伝達する機能を有する。また、ＬＦ帯送受信部２１０は、制御部２７０から伝達されてきた信号を変調してＬＦアンテナ２１１を介して送信する機能をも有する。
【００２１】
（２）小電力送信部２２０
小電力送信部２２０は、制御部２７０から伝達されてきた応答信号及び登録信号を変調してＵＨＦアンテナ２２１を介して送信する機能を有する。
（３）メモリ２３０
メモリ２３０は、自身に割り当てられたタグ識別子２３１及びリーダ情報テーブル２３２を記憶している。
【００２２】
リーダ情報テーブル２３２は、図５に示すように、リーダ識別子を複数個記憶するための領域を有している。
ここでは、タグ２０ａが登録信号を送信した送信先のＴＲのリーダ識別子が、リーダ情報テーブル２３２へ登録される。
（４）ボタン２４０
ボタン２４０は、ユーザからの操作を受け付けるボタンであり、ユーザの押下を受け付けた場合に、その旨を制御部２７０に伝達する機能を有する。
【００２３】
（５）通知部２５０
通知部２５０は、ＴＲ１０ａの化粧パネルに備えられたＬＥＤ（Ｌｉｇｈｔ  Ｅｍｉｔｔｉｎｇ  Ｄｉｏｄｅ：発光ダイオード）あるいはＬＣＤ（Ｌｉｑｕｉｄ  Ｃｒｙｓｔａｌ  Ｄｉｓｐｌａｙ：液晶ディスプレイ）を用いて、タグ識別子の登録に係る情報をユーザに通知する機能を有する。
【００２４】
（６）電池２６０
電池２６０は、ＵＨＦ帯で応答信号を送信するための電力を小電力送信部２２０と制御部２７０に供給する機能を有する。
（７）制御部２７０
制御部２７０は、タグ２０ａの各部を制御する機能を有する。制御部２７０は、図４に示すように、受信制御部２７１、登録制御部２７２及び送信制御部２７３を有している。
【００２５】
（７−１）受信制御部２７１
受信制御部２７１は、ＬＦ帯での通信に係る制御を行うものである。
受信制御部２７１は、ＬＦ帯送受信部２１０から伝達されてきた起動信号に含まれるリーダ識別子が、リーダ情報テーブル２３２に保持されているか否かを判断する。
保持されていると判断する場合には、受信制御部２７１は、応答信号を送信する旨の指示（送信指示）を送信制御部２７３に対して通知する。
【００２６】
保持されていないと判断する場合には、受信制御部２７１は、ＴＲへの登録に係る動作を開始する旨の指示（開始指示）を登録制御部２７２に対して通知する。
また、受信制御部２７１は、ＬＦ帯送受信部２１０で完了信号が受信されると、その旨を通知部２５０を介してユーザに通知する。
（７−２）登録制御部２７２
登録制御部２７２は、タグ２０ａのタグ識別子のＴＲへの登録に係る制御を行う機能を有している。
【００２７】
登録制御部２７２は、受信制御部２７１から開始指示を受け取ると、ＴＲへの登録が可能である旨を、通知部２５０を介してユーザに通知する。このとき、登録制御部２７２は、タイマを起動させ、一定時間の間、通知部２５０による通知がなされるよう通知部２５０を制御する。
ユーザによるボタン２４０の操作により、前記一定時間内に、登録を行う旨の指示を受け付けると、登録信号を送信する旨の指示（登録指示）を送信制御部２７３に対して通知する。また、登録制御部２７２は、受信したリーダ識別子を一時的に保持する。なお、登録制御部２７２は、一定時間が経過した後に登録を行う旨の指示を受け付けても、登録指示は行わない。
【００２８】
さらに、登録制御部２７２は、受信制御部２７１が完了信号を受信すると、一時的に保持しているリーダ識別子をリーダ情報テーブル２３２へ書き込む（登録する）。
（７−３）送信制御部２７３
送信制御部２７３は、ＵＨＦ帯での通信に係る制御を行うものである。
送信制御部２７３は、受信制御部２７１から送信指示を受け付けると、受信した起動信号に含まれるリーダ識別子を含む応答信号を送信するよう小電力送信部２２０を制御する。
【００２９】
また、送信制御部２７３は、登録制御部２７２から登録指示を受け付けると、受信した起動信号に含まれるリーダ識別子と、自身のタグ識別子２３１とを含む登録信号を送信するよう小電力送信部２２０を制御する。
１．４  動作
（１）照明制御時の動作概要
ここでは、タグリーダ（ＴＲ）１０ａ、タグ２０ａ及び照明機器３０ａを用いて、照明制御システム１の照明制御時の動作概要について、図６に示す流れ図を用いて説明する。
【００３０】
タグリーダ１０ａは、周期Ｔ０内に１回、起動信号を発報する（ステップＳ５）。
タグ２０ａは、起動信号を受信すると、受信した起動信号に含まれるリーダ識別子が登録されている場合には、ＵＨＦ帯で応答信号をタグリーダ１０ａへ送信する（ステップＳ１０）。
タグリーダ１０ａは、タグ２０ａから応答信号を受信した後、当該応答信号に含まれるタグ識別子が登録されている場合には、制御信号を照明機器３０ａへ送信する（ステップＳ１５）。このとき、照明機器３０ａにおいては、点灯に係る制御がなされる。
【００３１】
（２）登録時の動作概要
ここでは、タグリーダ１０ａとタグ２０ａとを用いて、照明制御システム１のタグ識別子の登録時の動作概要について、図７に示す流れ図を用いて説明する。
タグリーダ１０ａは、周期Ｔ０内に１回、起動信号を発報する（ステップＳ５０）。
タグ２０ａは、起動信号を受信すると、受信した起動信号に含まれるリーダ識別子が登録されていない場合には、通知部２５０を介してユーザへ登録可能である旨を通知する（ステップＳ５５）。
【００３２】
タグ２０ａは、ユーザから一定時間内に登録指示を受け付けると（ステップＳ６０）、登録信号をＴＲ１０ａへ送信する（ステップＳ６５）。
タグリーダ１０ａは、タグ２０ａから登録信号を受信した後、当該登録信号に含まれるタグ識別子の登録を行い、登録が完了すると完了信号をタグ２０ａへ送信する（ステップＳ７０）。
【００３３】
タグ２０ａは、完了信号を受信すると、登録が完了した旨を通知部２５０を介してユーザへ通知する（ステップＳ７５）。
（３）タグの動作について
ここでは、タグ２０ａを用いて、起動信号を受信した場合の動作について、図８で示す流れ図を用いて説明する。
【００３４】
制御部２７０の受信制御部２７１は、ＬＦ帯送受信部２１０で起動信号を受信したか否かを判断する（ステップＳ１００）。
起動信号を受信していないと判断する場合には（ステップＳ１００における「Ｎｏ」）、処理はステップＳ１００へ戻る。
起動信号を受信したと判断する場合には（ステップＳ１００における「Ｙｅｓ」）、受信制御部２７１は、受信された起動信号に含まれるリーダ識別子が、リーダ情報テーブル２３２に保持されているか否かを判断する（ステップＳ１０５）。
【００３５】
受信制御部２７１で受信したリーダ識別子が保持されていると判断される場合には（ステップＳ１０５における「Ｙｅｓ」）、送信制御部２７３は、応答信号を小電力送信部２２０を介して送信する（ステップＳ１１０）。
受信制御部２７１で受信したリーダ識別子が保持されていないと判断される場合には（ステップＳ１０５における「Ｎｏ」）、登録制御部２７２は、ＴＲへの登録が可能である旨を、通知部２５０を介してユーザに通知する（ステップＳ１１５）。このとき、登録制御部２７２は、タイマを起動させ、一定時間の間、通知部２５０による通知がなされるよう通知部２５０を制御する。
【００３６】
登録制御部２７２は、ボタン２４０でユーザから登録指示を受け付けたか否かを判断する（ステップＳ１２０）。
登録指示を受け付けていないと判断する場合には（ステップＳ１２０における「Ｎｏ」）、登録制御部２７２は、ユーザに通知してから一定時間が経過したか否かを判断する（ステップＳ１２５）。経過したと判断する場合（ステップＳ１２５における「Ｙｅｓ」）、処理は終了する。また、経過していないと判断する場合には（ステップＳ１２５における「Ｎｏ」）、処理はステップＳ１２０へ戻る。
【００３７】
登録制御部２７２で登録指示を受け付けたと判断される場合には（ステップＳ１２０における「Ｙｅｓ」）、送信制御部２７３は、登録信号を小電力送信部２２０を介して送信する（ステップＳ１３０）。なお、このとき登録制御部２７２は、受信したリーダ識別子を一時的に記憶する。
受信制御部２７１は、完了信号を受信すると（ステップＳ１３５）、登録が完了した旨を通知部２５０を介してユーザへ通知する（ステップＳ１４０）。
【００３８】
登録制御部２７２は、受信制御部２７１が完了信号を受信すると、一時的に記憶しているリーダ識別子をリーダ情報テーブル２３２へ登録する（ステップＳ１４５）。
（４）タグリーダの動作について
ここでは、ＴＲ１０ａを用いて、起動信号を受信した場合の動作について、図９で示す流れ図を用いて説明する。
【００３９】
ＴＲ１０ａの制御部１８０は、所定の周期Ｔ０毎に１回、起動信号をＬＦ帯送受信部１４０を介して送信する（ステップＳ２００）。
制御部１８０は、小電力受信部１５０で自身宛の応答信号が受信されたか否かを判断する（ステップＳ２０５）。
応答信号が受信されていないと判断する場合（ステップＳ２０５における「Ｎｏ」）、制御部１８０は、自身宛の登録信号が受信されたか否かを判断する（ステップＳ２１０）。登録信号が受信されていないと判断する場合（ステップＳ２１０における「Ｎｏ」）、処理はステップＳ２００へ戻る。登録信号が受信されたと判断する場合（ステップＳ２１０における「Ｙｅｓ」）、制御部１８０は、受信した登録信号に含まれるタグ識別子を取得し、認証情報テーブル１７１へ登録する（ステップＳ２２０）。
【００４０】
応答信号が受信されたと判断する場合（ステップＳ２０５における「Ｙｅｓ」）、制御部１８０は、応答信号に含まれるタグ識別子を取得する（ステップＳ２２５）。
制御部１８０は、取得したタグ識別子が、認証情報テーブル１７１に含まれているか否かを判断する（ステップＳ２３０）。取得したタグ識別子が、認証情報テーブル１７１に含まれていると判断する場合（ステップＳ２３０における「Ｙｅｓ」）、制御部１８０は、制御信号を有線接続された照明機器３０ａへ送信する（ステップＳ２３５）。
【００４１】
２．第２の実施の形態
ここでは、第１の実施の形態における照明制御システム１の変形例について説明する。
本第２の実施の形態は、所定時間内（例えば、時間Ｔ０の整数倍）において、タグが複数のＴＲから起動信号を受信した場合における登録に係る処理の一例を示すものである。
具体的には、タグは、所定時間内（Ｔ０×ｎ）において、登録されていない複数のＴＲから起動信号を受信すると、各起動信号の受信信号強度（ＲＳＳＩ）の値を計測する。ここで、ｎは、１以上の整数であるとする。そして、タグは、ユーザから登録の指示を受け付けると、受信した起動信号のうち、ＲＳＳＩ値が最も高い起動信号を特定し、特定した起動信号の送信元であるＴＲへ登録信号を送信する。なお、本変形例１では、各タグリーダから送信される起動信号それぞれは、同じ出力強度であるとする。
【００４２】
以下、機能について詳細に説明するが、ＴＲについては第１の実施の形態と同様の機能であるので、ここでの説明は省略する。
ここでは、本第２の実施の形態に係るタグについて、第１の実施の形態にて示したタグとの相違点を中心に説明する。
２．１  タグの構成
本第２の実施の形態に係るタグ１０２０は、図１０に示すように、ＬＦ帯送受信部２１０、小電力送信部（ＵＨＦ帯送信部）２２０、メモリ２３０、ボタン２４０、通知部２５０、電池２６０及び制御部１２７０から構成されている。なお、第１の実施の形態と同一の機能を有する構成要素については、同一の符号を付している。
【００４３】
以下、制御部１２７０について説明する。
（１）制御部１２７０
制御部１２７０は、タグ１０２０の各部を制御する機能を有する。制御部１２７０は、図１０に示すように、受信制御部１２７１、登録制御部１２７２、送信制御部１２７３及び記憶部１２７４から構成されている。
【００４４】
（１−１）記憶部１２７４
記憶部１２７４は、受信したリーダ識別子と、当該リーダ識別子を含む起動信号に対して計測されたＲＳＳＩ値とからなる組を複数個、一時的に記憶するための領域を有している。
（１−２）受信制御部１２７１
受信制御部１２７１は、ＬＦ帯での通信に係る制御を行うものである。
【００４５】
受信制御部１２７１は、ＬＦ帯送受信部２１０で受信した起動信号のＲＳＳＩ値を計測し、計測したＲＳＳＩと、受信した起動信号に含まれるリーダ識別子とからなる組を記憶部１２７４へ一時的に格納する。
また、受信制御部１２７１は、所定時間（Ｔ０×ｎ）を周期的に計時している。そして、所定時間（Ｔ０×ｎ）を計時する度に、その時間内で受信した起動信号があるか否かを判断する。具体的には、受信制御部１２７１は、記憶部１２７４にリーダ識別子が存在するか否かを判断する。
【００４６】
受信した起動信号があると判断する場合には、受信制御部１２７１は、ＬＦ帯送受信部２１０から伝達されてきた起動信号に含まれるリーダ識別子が、リーダ情報テーブル２３２に保持されているか否かを判断する。
リーダ情報テーブル２３２に保持されていると判断する場合には、受信制御部１２７１は、応答信号を送信する旨の指示（送信指示）を送信制御部１２７３に対して通知する。
【００４７】
保持されていないと判断する場合には、受信制御部１２７１は、ＴＲへの登録に係る動作を開始する旨の指示（開始指示）を登録制御部１２７２に対して通知する。
また、受信制御部１２７１は、ＬＦ帯送受信部１２１０で完了信号が受信されると、その旨を通知部２５０を介してユーザに通知する。
（１−３）登録制御部１２７２
登録制御部１２７２は、タグ１０２０のタグ識別子のＴＲへの登録に係る制御を行う機能を有している。
【００４８】
登録制御部１２７２は、受信制御部１２７１から開始指示を受け取ると、ＴＲへの登録が可能である旨を、通知部２５０を介してユーザに通知する。このとき、登録制御部１２７２は、タイマを起動させ、一定時間の間、通知部２５０による通知がなされるよう通知部２５０を制御する。
ユーザによるボタン２４０の操作により、前記所定時間内に、登録を行う旨の指示を受け付けると、登録信号を送信する旨の指示（登録指示）を送信制御部１２７３に対して通知する。
【００４９】
さらに、登録制御部２７２は、受信制御部２７１が完了信号を受信すると、記憶部１２７４で記憶されているＲＳＳＩ値のうち最も高いＲＳＳＩ値と対応付けられたリーダ識別子をリーダ情報テーブル２３２へ書き込む（登録する）。
（１−４）送信制御部１２７３
送信制御部１２７３は、ＵＨＦ帯での通信に係る制御を行うものである。
【００５０】
送信制御部１２７３は、受信制御部２７１から送信指示を受け付けると、応答信号を送信するよう小電力送信部２２０を制御する。
また、送信制御部１２７３は、登録制御部１２７２から登録指示を受け付けると、記憶部１２７４で記憶されているＲＳＳＩ値のうち最も高いＲＳＳＩ値と対応付けられたリーダ識別子を特定する。そして、特定したリーダ識別子を含む登録信号を送信するよう小電力送信部２２０を制御する。
【００５１】
２．２  動作
ここでは、タグ１０２０の動作について説明する。なお、本第２の実施の形態に係るＴＲの動作は第１の実施の形態で示したＴＲの動作と同様であるので、ここでの説明は省略する。
（１）タグ１０２０の動作
受信制御部１２７１は、受信結果判断時期が到来したか否かを判断する（ステップＳ３００）。具体的には、受信制御部１２７１は、所定時間（Ｔ０×ｎ）が経過したか否かを判断する。
【００５２】
受信結果判断時期が到来していないと判断する場合には（ステップＳ３００における「Ｎｏ」）、受信制御部１２７１は、ＬＦ帯送受信部２１０で受信した起動信号を受信したか否かを判断する（ステップＳ３０５）。
起動信号を受信していないと判断する場合（ステップＳ３０５における「Ｎｏ」）、処理はステップＳ３００へ戻る。
【００５３】
起動信号を受信したと判断する場合（ステップＳ３０５における「Ｙｅｓ」）、受信制御部１２７１は、受信した起動信号のＲＳＳＩ値を計測する（ステップＳ３１０）。受信制御部１２７１は、計測したＲＳＳＩと、受信した起動信号に含まれるリーダ識別子とからなる組を記憶部１２７４へ一時的に記憶する（ステップＳ３１５）。そして、処理はステップＳ３００へ戻る。
【００５４】
受信結果判断時期が到来したと判断する場合には（ステップＳ３００における「Ｙｅｓ」）、受信制御部１２７１は、１つ以上のリーダ識別子を受信したか否かを判断する（ステップＳ３２０）。具体的には、受信制御部１２７１は、記憶部１２７４にリーダ識別子が存在するか否かを判断する。
１つ以上のリーダ識別子を受信していないと判断する場合には（ステップＳ３２０における「Ｎｏ」）、処理はステップＳ３００へ戻る。
【００５５】
１つ以上のリーダ識別子を受信したと判断する場合には（ステップＳ３２０における「Ｙｅｓ」）、受信制御部１２７１は、受信した１つ以上のリーダ識別子のうち、リーダ情報テーブル２３２に保持されているものが存在するか否かを判断する（ステップＳ３２５）。
受信された１つ以上のリーダ識別子のうちリーダ情報テーブル２３２に保持されているものが存在すると判断される場合には（ステップＳ３２５における「Ｙｅｓ」）、送信制御部１２７３は、保持されているリーダ識別子に対応するタグリーダを宛先とする応答信号を小電力送信部２２０を介して送信する（ステップＳ３３０）。
【００５６】
受信された１つ以上のリーダ識別子のうちリーダ情報テーブル２３２に保持されているものが存在しないと判断される場合には（ステップＳ３２５における「Ｎｏ」）、送信制御部１２７３は、ＴＲへの登録が可能である旨を、通知部２５０を介してユーザに通知する（ステップＳ３３５）。このとき、登録制御部２７２は、タイマを起動させ、一定時間の間、通知部２５０による通知がなされるよう通知部２５０を制御する。
【００５７】
登録制御部１２７２は、ボタン２４０でユーザから登録指示を受け付けたか否かを判断する（ステップＳ３４０）。
登録指示を受け付けていないと判断する場合には（ステップＳ３４０における「Ｎｏ」）、登録制御部１２７２は、ユーザに通知してから一定時間が経過したか否かを判断する（ステップＳ３４５）。経過したと判断する場合（ステップＳ３４５における「Ｙｅｓ」）、処理は終了する。また、経過していないと判断する場合には（ステップＳ３４５における「Ｎｏ」）、処理はステップＳ３４０へ戻る。
【００５８】
登録制御部１２７２で登録指示を受け付けたと判断される場合には（ステップＳ３４０における「Ｙｅｓ」）、送信制御部１２７３は、受信した１つ以上のリーダ識別子のうちＲＳＳＩ値が最も高いリーダ識別子を記憶部１２７４から特定する（ステップＳ３５０）。
送信制御部１２７３は、特定したリーダ識別子に対応するタグリーダを宛先とする登録信号を送信する（ステップＳ３５５）。
【００５９】
受信制御部１２７１は、完了信号を受信すると（ステップＳ３６０）、登録が完了した旨を通知部２５０を介してユーザへ通知する（ステップＳ３６５）。
登録制御部１２７２は、受信制御部２７１が完了信号を受信すると、記憶部１２７４で記憶されているＲＳＳＩ値のうち最も高いＲＳＳＩ値と対応付けられたリーダ識別子をリーダ情報テーブル２３２へ登録する（ステップＳ３７０）。
【００６０】
２．３  変形例
上記第２の実施の形態では、計測したＲＳＳＩ値のうち最も高いＲＳＳＩ値であるリーダ識別子を特定したが、これに限定されない。
（１）計測したＲＳＳＩ値のうち所定値以上であるＲＳＳＩ値に対応するリーダ識別子を特定してもよい。このとき、上記第２の実施の形態と同様に、各タグリーダから送信される起動信号それぞれは、同じ出力強度であるとする。
【００６１】
この場合、タグは、特定するための基準となる基準値を予め記憶している。タグの登録制御部は、ユーザから登録指示を受け付けると、記憶部で記憶している１つ以上のＲＳＳＩ値のうち基準値以上であるＲＳＳＩを少なくとも１つ以上特定する。タグの送信制御部は、特定された１つ以上のＲＳＳＩ値それぞれに対応するリーダ識別子を宛先とする登録信号を送信する。
【００６２】
その後、受信制御部は、登録信号の宛先とした各タグリーダから完了信号を受信する。なお、この場合完了信号には、送信元のリーダ識別子が含まれているものとする。そして、登録制御部は、完了信号が受信される度に、当該完了信号に含まれるリーダ識別子をリーダ情報テーブルへ登録する。
（２）また、上記第２の実施の形態及び上記（１）においては、各タグリーダから送信される起動信号それぞれは、同じ出力強度であるとしたが、各起動信号は異なる出力強度であってもよい。
【００６３】
この場合、各タグリーダは、複数の基準値を予め記憶している。そして、タグリーダは、起動信号を送信する際に、受信側のタグが用いるべき基準値を当該起動信号に付加して送信する。
タグの受信制御部は、受信した起動信号から基準値及びリーダ識別子とを取得し、記憶部へ、計測したＲＳＳＩ値とともに記憶する。
【００６４】
登録処理を行う際には、送信制御部は、計測されたＲＳＳＩの値が対応する基準値以上であるか否かを判断する。基準値以上である場合には、そのリーダ識別子を取得する。この判断及び特定を受信したリーダ識別子毎に行い、登録指示の送信対象となる全てのリーダ識別子を取得する。
送信制御部は、特定されたＲＳＳＩ値それぞれに対応するリーダ識別子を宛先とする登録信号を送信する。
【００６５】
その後、受信制御部は、登録信号の宛先とした各タグリーダから完了信号を受信する。なお、この場合完了信号には、送信元のリーダ識別子が含まれているものとする。そして、登録制御部は、完了信号が受信される度に、当該完了信号に含まれるリーダ識別子をリーダ情報テーブルへ登録する。
（３）上記において、受信側のタグが用いるべき基準値を、タグリーダが指定したが、指定方法はこれに限らない。
【００６６】
例えば、タグリーダは、出力強度を段階的にレベル分けし、各出力強度とレベルとを対応付けて予め記憶している。
タグは、各レベルに応じた基準値を、当該レベルと対応付けて予め記憶している。
そして、各タグリーダは、起動信号を送信する際に、出力強度に応じたレベルを示すレベル情報を当該起動信号に付加して送信する。
【００６７】
タグの受信制御部は、受信した起動信号からレベル情報及びリーダ識別子とを取得し、記憶部へ、計測したＲＳＳＩ値とともに記憶する。
登録処理を行う際には、送信制御部は、計測されたＲＳＳＩ値が対応付けられたレベル情報が示すレベルに対応する基準値を特定する。送信制御部は、計測されたＲＳＳＩ値が特定された基準値以上であるか否かを判断する。基準値以上である場合には、対応するリーダ識別子を取得する。この判断及び特定を受信したリーダ識別子毎に行い、登録指示の送信対象となる全てのリーダ識別子を取得する。
【００６８】
送信制御部は、取得されたＲＳＳＩ値それぞれに対応するリーダ識別子を宛先とする登録信号を送信する。
その後、受信制御部は、登録信号の宛先とした各タグリーダから完了信号を受信する。なお、この場合完了信号には、送信元のリーダ識別子が含まれているものとする。そして、登録制御部は、完了信号が受信される度に、当該完了信号に含まれるリーダ識別子をリーダ情報テーブルへ登録する。
【００６９】
３．その他の変形例
上記第１及び第２の実施の形態において、本発明の実施の手法について説明してきたが、本発明の実施形態がこれらに限られないことは勿論である。以下、上記実施形態以外に本発明として含まれる各種の変形例について説明する。
（１）上記実施の形態において、タグリーダと照明機器とは、１対１の関係にあったが、これに限定されない。
【００７０】
タグリーダと照明機器とは、１対ｎ（ｎは２以上の整数）の関係としてもよい。この場合、タグリーダは、ｎ個の照明機器と有線接続されており、ｎ個の照明機器に対して制御信号を送信する。
（２）上記実施の形態において、点灯に係る制御として、電源をオンにする制御を一例として挙げたが、これに限定されない。
【００７１】
例えば、タグリーダは、ある一定期間の間（例えば、５分間）、受信した応答信号に含まれるタグ識別子のうち、認証情報テーブルに含まれるタグ識別子と一致した件数をカウントしておき、カウントした値に応じて照明の照度を調整する（調光する）よう制御してもよい。なお、本発明における点灯に係る制御の概念には、調光するよう制御することも含める。
【００７２】
また、ある一定期間の間、応答信号を全く受信しない場合においては、タグリーダは、照明の消灯に係る制御信号を送信してもよい。
（３）上記第１の実施の形態において、タグ２０ａ〜２０ｆそれぞれは、リーダ情報テーブル２３２を有する構成としたが、これに限定されない。
タグ２０ａ〜２０ｆそれぞれは、リーダ情報テーブル２３２を有する構成でなくてもよい。
【００７３】
この場合におけるタグは、起動信号を受信すると、応答信号を送信するとともに、通知部により登録が可能である旨の通知をユーザに通知する。
タグリーダは、応答信号を受信すると、受信した応答信号に含まれるタグ識別子を記憶している場合には照明機器に制御信号を送信する。受信したタグ識別子を記憶していない場合には、タグリーダは制御信号の送信は行わない。
【００７４】
タグにおいて、ユーザから登録指示を受け付けると、タグリーダへ登録信号を送信する。タグリーダは、登録信号を受信すると、受信した登録信号に含まれるタグ識別子を認証情報テーブル１７１へ登録する。なお、既に登録されている場合には、受信したタグ識別子の登録は行わなくてもよい。
（４）上記の実施の形態において、リーダ識別子の一例としてＭＡＣアドレスを挙げたが、これに限定されない。
【００７５】
リーダ識別子は、ＴＲを識別するためのものであればよい。例えば、他の例として、ＩＰアドレスや、予め一意に割り当てられたＩＤである。
また、タグ識別子においても同様に、タグを識別するためのものであればよい。例えば、ＭＡＣアドレス、ＩＰアドレスや、予め一意に割り当てられたＩＤである。
（５）上記実施の形態において、登録指示はボタンから行うものとしたが、これに限定されない。
【００７６】
音声により登録指示を受け付けてもよい。つまり、タグは、登録指示を受け付けることのできる機構であれば、どのような機構であってもよい。  
（６）上記の実施の形態で説明した手法は装置や集積回路で実現されてもよい。また、上記の手法の手順を記述したプログラムをメモリに記憶しておき、ＣＰＵ（Ｃｅｎｔｒａｌ  Ｐｒｏｃｅｓｓｉｎｇ  Ｕｎｉｔ）などがメモリからプログラムを読み出して、読み出したプログラムを実行することによって、上記の手法が実現されるようにしてもよい。
【００７７】
（７）上記の実施の形態で説明した手法の手順を記述したプログラムを記録媒体に格納して、頒布するようにしてもよい。
（８）上記実施の形態及び上記変形例をそれぞれ組み合わせるとしてもよい。
４．補足
（１）本発明の一実施態様である、照明制御システムは、タグを識別するタグ識別子を記憶するタグ識別子記憶手段、タグと通信を行うための起動信号を繰り返し送信する第１送信手段、前記起動信号に対する応答としてタグ識別子を含む応答信号をタグから受信する第１受信手段、及び前記応答信号に含まれるタグ識別子が前記タグ識別子記憶手段に記憶しているタグ識別子と同一である場合に有線接続された照明機器に点灯に係る制御信号を出力する出力手段を備えるタグリーダと、前記起動信号を受信する第２受信手段、及び前記起動信号が受信されると前記応答信号を送信する第２送信手段とを備えるタグから構成されることを特徴とする。
【００７８】
この構成によると、照明制御システムは、タグリーダにおいて自身が送信した起動信号に対応する応答信号を送信したタグが照明を制御すべきものである場合に、当該タグリーダと有線接続された照明機器の点灯に係る制御を行う。これにより、照明制御システムは、照明機器の制御を人の操作を介することなく行うことができる。
（２）ここで、前記第２送信手段は、さらに、ユーザから登録指示がなされると当該タグのタグ識別子を含む指示情報を前記タグリーダへ送信し、前記第１受信手段は、さらに、前記指示情報を受け付け、前記タグリーダは、さらに、前記指示情報が受信されると、当該指示情報に含まれるタグ識別子を前記タグ識別子記憶手段へ登録する登録手段を備え、前記出力手段は、受信した応答信号が前記タグ識別子記憶手段に記憶しているタグ識別子で識別されるタグからのものである場合に、前記制御信号を出力するとしてもよい。
【００７９】
この構成によると、タグの所有者は、ある照明機器の制御を所望する場合において、接続されたタグリーダや所望する照明機器のアドレス管理を行わなくても、所有するタグをタグリーダへ容易に登録することができる。
（３）ここで、前記タグは、さらに、前記起動信号が受信されると、前記タグリーダへの登録が可能である旨をユーザに一定期間の間、通知する通知手段を備え、前記第２送信手段は、前記一定期間の間に前記登録指示を受け付けた場合に、指示情報を前記タグリーダへ送信するとしてもよい。
【００８０】
この構成によると、タグの所有者は、登録が可能であることをタグから通知されるので、登録のタイミングを容易に知ることできる。
（４）ここで、起動信号には、タグリーダを識別するためのリーダ識別子が含まれており、前記タグは、さらに、タグリーダのリーダ識別子を記憶するためのリーダ識別子記憶手段と、前記通知手段による前記通知がなされている間にユーザから登録指示がなされると、前記リーダ識別子を前記リーダ識別子記憶手段へ書き込む書込手段とを備え、前記通知手段は、受信された起動信号に含まれるリーダ識別子が前記リーダ識別子記憶手段に記憶されていない場合に前記通知を行うとしてもよい。
【００８１】
この構成によると、タグは、既に登録しているタグリーダへの登録が可能である旨の通知はしないので、タグの所有者は、既に登録しているタグリーダへの二重登録を避けることができる。
（５）ここで、前記第２送信手段は、前記リーダ識別子が前記リーダ識別子記憶手段に記憶されている場合に前記応答信号を送信するとしてもよい。
【００８２】
この構成によると、タグは、受信した起動信号に含まれるリーダ識別子が当該タグに記憶されている場合、つまりタグリーダにて照明機器を制御するべきタグとして登録されている場合に応答信号を送信する。従って、タグリーダでは、前記照明器具の制御を必要とすべきタグのみから応答信号を受信するので、確実に照明器具の制御を行うことができる。
【００８３】
（６）ここで、前記照明制御システムは、さらに、１つ以上の別のタグリーダを含み、前記第２受信手段は、所定期間において前記タグリーダ及び前記１つ以上の別のタグリーダそれぞれから起動信号を受信し、前記書込手段は、前記登録指示がなされると、受信した複数の起動信号それぞれに含まれるリーダ識別子のうち受信信号強度が最も高いリーダ識別子を特定し、特定したリーダ識別子を前記リーダ識別子記憶手段に書き込み、前記第２送信手段は、前記特定されたリーダ識別子に対応するタグリーダを前記指示情報の送信対象とするとしてもよい。
【００８４】
この構成によると、タグの所有者は、近辺に複数のタグリーダが存在する場合でも、登録を所望する、つまり受信信号強度の高いタグリーダに対して登録を行うことができる。
（７）ここで、前記書込手段は、前記登録指示がなされると、受信した前記リーダ識別子の受信信号強度が所定値以上であるか否かを判断し、当該判断が肯定的である場合に前記リーダ識別子を前記リーダ識別子記憶手段に書き込み、前記第２送信手段は、前記判断が肯定的である場合に前記指示情報を前記タグリーダへ送信するとしてもよい。
【００８５】
この構成によると、タグの所有者は、受信した起動信号の受信信号強度が所定値以上である１つ以上のタグに対して、同時に登録を行うことができる。
【符号の説明】
【００８６】
１    照明制御システム
２    フロア
１０ａ〜１０ｄ  タグリーダ（ＴＲ）
２０ａ〜２０ｆ  タグ
３０ａ〜３０ｄ  照明機器
１１０    Ｉ／Ｆ部
１４０    ＬＦ帯送受信部
１４１    ＬＦアンテナ
１５０    小電力受信部
１５１    ＵＨＦアンテナ
１７０    記憶部
１７１    認証情報
１８０    制御部
２１０    ＬＦ帯送受信部
２１１    ＬＦアンテナ
２２０    小電力送信部
２２１    ＵＨＦアンテナ
２３０    メモリ
２３１    タグ識別子
２３２    リーダ情報テーブル
２４０    ボタン
２５０    通知部
２６０    電池
２７０    制御部
２７１    受信制御部
２７２    登録制御部
２７３    送信制御部
【図１】
2011175757.tif 000003
【図２】
2011175757.tif 000004
【図３】
2011175757.tif 000005
【図４】
2011175757.tif 000006
【図５】
2011175757.tif 000007
【図６】
2011175757.tif 000008
【図７】
2011175757.tif 000009
【図８】
2011175757.tif 000010
【図９】
2011175757.tif 000011
【図１０】
2011175757.tif 000012
【図１１】
2011175757.tif 000013